(57)【要約】【課題】  スタンド付きテレビジョン受像機において、スタンドを立てたまま、そのスタンドを利用してリアキャビネットの着脱、メンテナンスなどを行うことができるようにする。【解決手段】  スタンド本体１２を、台座１１に取り付けた基体１３と、液晶モジュール２側の取付枠４が装着された支持部材１５とに分割する。取付枠４との基体１３とを仮結合手段を介して仮結合することより、起立姿勢のスタンド本体１２に液晶モジュール２を正立姿勢に保持させることを可能にする。仮結合手段は、係合片部７４と係合孔部７１とでなる係合機構Ｍ１Ａと、液晶モジュール２を正立姿勢に保持する倒れ防止機構Ｍ２とを備えている。【選択図】        図６
2009038540.tif 000002
【特許請求の範囲】
【請求項１】
液晶モジュールに装備されている取付枠と、液晶モジュールに装着されているフロントキャビネットと、このフロントキャビネットに装着されるリアキャビネットと、取付枠を介して液晶モジュールを支持するスタンド本体と、このスタンド本体を起立姿勢に保持する台座と、を有し、上記リアキャビネットが、上記スタンド本体の背部からの作業を行うことによって上記フロントキャビネットに対して着脱可能になっているスタンド付きテレビジョン受像機において、
上記スタンド本体が、上記台座に設けられた基体と、上記取付枠に結合された支持部材とに分割されていて、
上記リアキャビネットが上記フロントキャビネットに装着されていない状態で、上記基体に上記取付枠を仮結合して液晶モジュールを正立姿勢に保持することを可能にする仮結合手段が追加されていると共に、上記基体と上記支持部材とのそれぞれに、上記仮結合手段によって上記取付枠が基体に仮結合されているときに互いに重なり合ってボルト結合を可能にする結合片部が各別に備わっていることを特徴とするスタンド付きテレビジョン受像機。
【請求項２】
上記仮結合手段は、起立姿勢の上記スタンド本体に沿う上下方向で互いに係脱可能な係合片部と係合孔部とでなる係合機構と、この係合機構の係合片部と係合孔部とを係合させたときに上記取付枠と支持部材の上記結合片部とを前後方向で挟んで液晶モジュールを正立姿勢に保持する倒れ防止機構と、を備えている請求項１に記載したスタンド付きテレビジョン受像機。
【請求項３】
上記取付枠が上記係合孔部を有する立て板部を有して上記液晶モジュールの下端部に装備されていると共に、その立て板部が支持部材の上記結合片部に重なり合ってそれらの重なり箇所が上記取付枠と上記支持部材との結合箇所とされ、
上記係合機構において、その係合片部は、横長板体でなる上記基体の前側にオフセットされた位置で上向きに突出していると共に、その係合片部の上記基体に対するオフセット間隔が、取付枠の上記立て板部と支持部材の上記結合片部との重なり箇所を嵌脱可能な広さを有し、
上記倒れ防止機構が、上記基体に連設された上記係合片部の根元部分を形成して上記係合孔部の孔縁が乗せ掛けられる突出部と、上記立て板部にその前側で重なりあった上記係合片部と、上記立て板部と支持部材の上記結合片部との重なり箇所の下方へ延び出た当該結合片部にその後側で重なりあった上記基体と、によって形成されている請求項２に記載したスタンド付きテレビジョン受像機。
【請求項４】
上記突出部が横長板体でなる上記基体の上端縁の左右２箇所に折曲形成され、それらの突出部のそれぞれに上記係合片部が折曲形成されていると共に、上記係合孔部は、取付枠の立て板部の下端縁から上方に向かって凹入状に窪んだ形に形成されている請求項３に記載したスタンド付きテレビジョン受像機。
【請求項５】
上記取付枠が上記立て板部とその立て板部の下端縁から前向きに突き出た横板部とを有し、その横板部に、上記係合片部が上下方向で嵌脱可能な嵌合孔部を上記係合孔部に連続する形態で形成してある請求項４に記載したスタンド付きテレビジョン受像機。
【請求項６】
上記基体に、左右２箇所の上記突出部の相互間に位置する凹所が形成されていて、その凹所の立上り端面が、上記支持部材が取り付けられた上記取付枠を下降させて上記係合片部に上記係合孔部を嵌め込むときに、上記支持部材を摺動させて上記嵌合孔部を上記係合片部に導くガイド面として形成されている請求項５に記載したスタンド付きテレビジョン受像機。
【請求項７】
上記嵌合孔部の奥行幅を、上記係合片部の横長板体に対するオフセット間隔よりも長くしてある請求項６に記載したスタンド付きテレビジョン受像機。
【発明の詳細な説明】
【技術分野】
【０００１】
本発明は、スタンド付きテレビジョン受像機、特に、組立分解作業やメンテナンス作業、内部構造の検討作業などを、スタンドを自立させた状態でその背部から行うことができるようにするための対策が講じられたスタンド付きテレビジョン受像機に関する。
【背景技術】
【０００２】
液晶モジュールを用いたスタンド付きテレビジョン受像機は、スタンドで液晶モジュールを正立姿勢に支持させて、ユーザが液晶モジュールの表示画面を見て楽しむことができるようになっている。そして、この種のスタンド付きテレビジョン受像機では、スタンドが、床面などに着座される台座とこの台座から起立しているスタンド本体とを備えていて、そのスタンド本体に液晶モジュールが取り付けられている。また、スタンド本体と液晶モジュールとの取付箇所では、液晶モジュールに装備されている取付枠がスタンド本体にビス止めされている。さらに、取付枠をスタンド本体にビス止めすることに用いられている取付ねじが、リアキャビネットをスタンド本体にビス止めする取付ねじとしても用いられている。すなわち、スタンド本体に対し、液晶モジュールに装備されている取付枠とリアキャビネットとが取付ねじにより共締めされて取り付けられていた。
【０００３】
図１３（Ａ）〜（Ｅ）はこの種のスタンド付きテレビジョン受像機について行われている組立手順を例示した説明図である。同図において、１はスタンドであり、台座１１とスタンド本体１２とを備えている。２は液晶モジュールであり、８はキャビネットである。キャビネット８は、液晶モジュール２に装着されるフロントキャビネット８１と、このフロントキャビネット８１に装着されるリアキャビネット８５とに分割されている。
【０００４】
このスタンド付きテレビジョン受像機の組立工程では、最初の工程で、同図（Ａ）のように、作業面Ｆにフロントキャビネット８１が装着されている液晶モジュール２をその表示画面が下向きになる横倒し状態にして載置する。次の工程では、同図（Ｂ）のように、横倒し状態にしたスタンド１のスタンド本体１２を液晶モジュール２の背面の上に置く。さらに次の工程では、同図（Ｃ）のように、スタンド本体１２の背部（この場合は上部）からの組立作業を行うことによって、フロントキャビネット８１に対してリアキャビネット８５を合わせる。さらに次の工程では、同図（Ｄ）のように、スタンド本体１２に対してリアキャビネット８５と液晶モジュール２に装備されている取付枠（不図示）とを共通の取付ねじ１００を用いてビス止めする。すなわち、取付ねじ１００によってリアキャビネット８５と取付枠とをスタンド本体１２に対して共締めすることによってそれら３者を取り付ける。したがって、この工程では、液晶モジュール２の取付枠をスタンド本体１２にビス止めすることに用いられている取付ねじが、リアキャビネット８５をスタンド本体１２にビス止めする取付ねじとしても用いられている。最後に、横倒し状態のスタンド１を同図（Ｅ）のように起こしてスタンド本体１２を起立姿勢にする。
【０００５】
この組立手順のように、作業面Ｆ上で横倒し状態にした液晶モジュール２に横倒し状態のスタンド本体１２を置き、その上方からの組立作業でリアキャビネット８５をフロントキャビネット８１に装着した後に、取付ねじ１００を用いてスタンド本体１２にリアキャビネット８５と液晶モジュール２に装備されている取付枠（不図示）とを共締めして取り付けるという工程（図９（Ａ）〜（Ｄ））を行う理由は、取付ねじ１００でスタンド本体１２に液晶モジュール２の取付枠やリアキャビネット８５を共締めするときに、リアキャビネット８５やスタンド本体１２に備わっている取付ねじ挿通孔を取付枠のねじ孔に位置合わせする作業を可能な限り容易に行うためである。この点に関し、仮に、起立させたスタンド本体に液晶モジュールの取付枠やリアキャビネットを取付ねじを用いて共締めすることを想定すると、液晶モジュールやリアキャビネットを持ち上げたまま上記の取付ねじ挿通孔とねじ孔との位置合わせ作業を行う必要が生じてその作業に多大な困難を伴う。
【０００６】
また、リアキャビネット８５をスタンド本体１２の上方からの組立作業でフロントキャビネット８１に装着する工程（図９（Ｃ））を行う理由は、その前工程（図９（Ｂ））で既にスタンド本体１２が横倒し状態に置かれているので、作業効率の低下を防いで作業の連続性を高めるためには、スタンド本体１２を横倒し状態に保ったまま作業を行うことが好ましいからである。
【０００７】
一方、従来より、スタンド付きテレビジョン受像機では、スタンドを交換可能としてフラットディスプレイを継続使用することができるようにすることが提案されている（たとえば、特許文献１参照）。また、壁掛け型映像機器において、表示部の前傾角度を調節可能にすることも提案されている（たとえば、特許文献２参照）。さらに、テレビスタンドにおいて、そのテレビスタンド自体の分解組立を短時間で行うことができるようにするための対策についても提案されている（たとえば、特許文献３参照）。
【特許文献１】特開２００１−２８２１１５号公報
【特許文献２】特開平１１−２４５７６号公報
【特許文献３】特開平６−２８４３５９号公報
【発明の開示】
【発明が解決しようとする課題】
【０００８】
しかしながら、組立工程で図１３を参照して説明したような組立手順、すなわち、液晶モジュール２の取付枠やリアキャビネット８５を取付ねじを用いて共締めするという手順を採用すると、同図（Ａ）のようにフロントキャビネット３１が装着されている液晶モジュール２を作業面Ｆ上で横倒し状態に倒したり、同図（Ｄ）のようにリアキャビネット８５をフロントキャビネット８１に装着した後に、同図（Ｅ）のようにスタンド１を起こして液晶モジュール２を正立姿勢に立てたりするという面倒で労力を要する余分な作業を行わざるを得なくなるという問題がある。そして、この問題は、大形の液晶モジュール２を取り扱う場合には、液晶モジュール２やスタンド１が重いためにいっそう多大な労力を必要とするだけでなく、危険を伴うことにもなる。
【０００９】
そこで、本願発明者は、液晶モジュール２の取付枠やリアキャビネット８５を取付ねじを用いて共締めすることを改めた上で、液晶モジュールを正立姿勢にしたまま、かつ、スタンドを立てて起立姿勢にしたまま、液晶モジュールに装着されているフロントキャビネットにリアキャビネットを着脱することができるようにしておくと、組立工程で液晶モジュールやスタンドを横倒し状態に倒したり横倒し状態から起こして起立姿勢にしたりする手間を省くことができるものと考えた。また、そのようにしておくと、組立工程だけでなく、スタンド本体の背部からの作業を通じて、リアキャビネットを取り外してメンテナンスを実施したり内部構造を検討したりするときにも、液晶モジュールやスタンドを横倒し状態に倒したり横倒し状態から起こして起立姿勢にしたりする手間がなくなるために便利であると考えた。
【００１０】
本発明は以上の状況の下でなされたものであり、台座で液晶モジュールを、組立時やメンテナンス時、内部構造の検討時などに、正立姿勢に仮保持させることができるようにすることと併せて、液晶モジュールの取付枠やリアキャビネットを取付ねじを用いて共締めすることをやめて、液晶モジュールなどを横倒し状態にすることなく、正立姿勢の液晶モジュールに装着されているフロントキャビネットにリアキャビネットをその背部から容易に取り付けることができるようにすることを目的とする。
【課題を解決するための手段】
【００１１】
本発明に係るスタンド付きテレビジョン受像機は、液晶モジュールに装備されている取付枠と、液晶モジュールに装着されているフロントキャビネットと、このフロントキャビネットに装着されるリアキャビネットと、取付枠を介して液晶モジュールを支持するスタンド本体と、このスタンド本体を起立姿勢に保持する台座と、を有している。そして、上記リアキャビネットが、上記スタンド本体の背部からの作業を行うことによって上記フロントキャビネットに対して着脱可能になっている。
【００１２】
さらに加えて、上記スタンド本体が、上記台座に設けられた基体と、上記取付枠に結合された支持部材とに分割されていて、上記リアキャビネットが上記フロントキャビネットに装着されていない状態で、上記基体に上記取付枠を仮結合して液晶モジュールを正立姿勢に保持することを可能にする仮結合手段が追加されていると共に、上記基体と上記支持部材とのそれぞれに、上記仮結合手段によって上記取付枠が基体に仮結合されているときに互いに重なり合ってボルト結合を可能にする結合片部が各別に備わっている。
【００１３】
この構成であると、スタンド本体の基体に液晶モジュールに装備されている取付枠を仮結合手段を用いて仮結合することにより、液晶モジュールを正立姿勢に保持させておくことが可能である。そのため、液晶モジュールやスタンドを横倒し状態にすることなく、液晶モジュールに装着されているフロントキャビネットにその背部からの作業でリアキャビネットを装着することが可能になる。また、仮結合手段によってスタンド本体の基体に取付枠を仮結合したときには、基体とスタンド本体の支持部材とのそれぞれに各別に備わっている結合片部が互いに重なり合ってその重なり箇所をボルト結合することが可能である。
【００１４】
本発明において、上記仮結合手段は、起立姿勢の上記スタンド本体に沿う上下方向で互いに係脱可能な係合片部と係合孔部とでなる係合機構と、この係合機構の係合片部と係合孔部とを係合させたときに上記取付枠と支持部材の上記結合片部とを前後方向で挟んで液晶モジュールを正立姿勢に保持する倒れ防止機構と、を備えているという構成を採用することが可能である。仮結合手段にこの構成を採用しておくと、取付ねじを用いることなく、容易かつ迅速な作業を通じてスタンド本体の基体に取付枠を確実に安定性よく仮結合することが可能になる。
【００１５】
本発明では、上記取付枠が上記係合孔部を有する立て板部を有して上記液晶モジュールの下端部に装備されていると共に、その立て板部が支持部材の上記結合片部に重なり合ってそれらの重なり箇所が上記取付枠と上記支持部材との結合箇所とされ、上記係合機構において、その係合片部は、横長板体でなる上記基体の前側にオフセットされた位置で上向きに突出していると共に、その係合片部の上記基体に対するオフセット間隔が、取付枠の上記立て板部と支持部材の上記結合片部との重なり箇所を嵌脱可能な広さを有し、上記倒れ防止機構が、上記基体に連設された上記係合片部の根元部分を形成して上記係合孔部の孔縁が乗せ掛けられる突出部と、上記立て板部にその前側で重なりあった上記係合片部と、上記立て板部と支持部材の上記結合片部との重なり箇所の下方へ延び出た当該結合片部にその後側で重なりあった上記基体と、によって形成されている、という構成を採用することが可能である。
【００１６】
この構成であれば、スタンド本体の基体に液晶モジュールの取付枠を仮結合する組立作業を行うときに、取付枠の立て板部に備わっている係合孔部をスタンド本体の基体の係合片部に係合させてその孔縁を突出部に乗せ掛ける、という作業を行うだけで、立て板部の前倒れが係合片部と基体との共働によって阻止される。そのため、仮結合を容易に行うことができ、その仮結合によって液晶モジュールが確実に安定性よく正立姿勢に保たれるようになる。
【００１７】
本発明では、上記突出部が横長板体でなる上記基体の上端縁の左右２箇所に折曲形成され、それらの突出部のそれぞれに上記係合片部が折曲形成されていると共に、上記係合孔部は、取付枠の立て板部の下端縁から上方に向かって凹入状に窪んだ形に形成されていることが望ましい。これによれば、突出部や係合片部を、別部品を用いずに横長板体でなる基体に一体に具備させることが可能になる。また、仮結合時に液晶モジュールの取付枠が左右の２点でスタンド本体の基体に支えられて仮結合状態が安定する。
【００１８】
本発明では、上記取付枠が上記立て板部とその立て板部の下端縁から前向きに突き出た横板部とを有し、その横板部に、上記係合片部が上下方向で嵌脱可能な嵌合孔部を上記係合孔部に連続する形態で形成してあることが望ましい。これによれば、仮結合を行うときに、取付枠をスタンド本体の基体の上方から降ろしていく作業を行うだけで、取付枠の横板部の嵌合孔部がスタンド本体の基体に設けられている係合片部に嵌合され、引き続いて取付枠の立て板部の係合孔部の孔縁が基体の突出部に乗せ掛けられる。このことにより、仮結合を行うときの作業性が向上する。
【００１９】
本発明にあっては、上記基体に、左右２箇所の上記突出部の相互間に位置する凹所が形成されていて、その凹所の立上り端面が、上記支持部材が取り付けられた上記取付枠を下降させて上記係合片部に上記係合孔部を嵌め込むときに、上記支持部材を摺動させて上記嵌合孔部を上記係合片部に導くガイド面として形成されていることが望ましい。この構成によると、仮結合を行うときの嵌合片部と係合片部との位置合わせが容易になって、仮結合を時間をかけずに短時間で容易に行うことができるようになる。
【００２０】
本発明にあっては、上記嵌合孔部の奥行幅を、上記係合片部の横長板体に対するオフセット間隔よりも長くしてある、という構成を採用すること可能である。これによれば、仮結合を行うときに嵌合孔部を係合片部に容易に行うことができるようになる。
【発明の効果】
【００２１】
以上のように、本発明によれば、液晶モジュールの取付枠を、取付ねじを用いずにスタンド本体の基体に仮結合して液晶モジュールを正立姿勢に保持させることが可能である。しかも、組立工程で、液晶モジュールやスタンドを横倒し状態にしたり横倒し状態のそれを起こしたりするという面倒で労力を要する危険な作業を行う必要がなくなり、作業性や作業の安全性が向上する。また、テレビジョン受像機のリアキャビネットを取り外してメンテナンスを実施したり内部構造を検討したりする場合においても、液晶モジュールを正立姿勢に保ったままそれらの作業を迅速にかつ安全に行うことができるようになる。
【発明を実施するための最良の形態】
【００２２】
図１は本発明に係るスタンド付きテレビジョン受像機の組立手順を例示した説明図である。図２はスタンド本体１２の支持部材１５と液晶モジュール２に装備されている上下の取付枠３，４とを示した分解斜視図、図３は同スタンド付きテレビジョン受像機を概略で示した斜視説明図である。図４は同スタンド付きテレビジョン受像機の組立工程の途中段階を概略で示した分解斜視図、図５は同途中段階を概略で示した背面説明図、図６は組立後のスタンド付きテレビジョン受像機の概略部分背面図、図７は同概略平面図である。さらに、図８は図６のＶＩＩＩ−ＶＩＩＩ線に沿う部分の拡大断面図、図９は図６のＩＸ−ＩＸ線に沿う部分の拡大断面図である。
【００２３】
図２〜図９を参照してスタンド１や液晶モジュール２に装備されている取付枠３，４などの構成を先に説明する。
【００２４】
スタンド１は、台座１１とこの台座１１を作業面Ｆなどに着座させておくことによって起立姿勢に保持されるスタンド本体１２とを備えている。スタンド本体１２は、幅方向両端に補強リブとしての折曲り板片部１４を有する板金製の横長板体でなる基体１３と、垂直な支柱としての板金製の左右２本の支持部材１５とに分かれている。そして、基体１３が台座１１に起立姿勢で垂直に取り付けられているのに対し、２本の支持部材１５には、相互間に液晶モジュール２に装備されている上下の取付枠３，４が取り付けられている。支持部材１５と上下の取付枠３，４との取付けにはビス止め構造が採用されている。
【００２５】
図２には下側の取付枠４や２本の支持部材１５の具体的形状が示され、図３〜図７などには、両者の取付状態ないし取付構造が示されている。
【００２６】
図２のように、支持部材１５は、その下端に左右両側に張り出した結合片部としての板片状のフランジ部１６，１７を有して、それらのフランジ部１６，１７の上部にはそれぞれ所要数のねじ挿通孔５１が備わっているのに対し、外側に向けて張り出した片側のフランジ部１６の下部には所要数のねじ孔５２が備わっている。一方、液晶モジュール２の下端部に装備されている下側の取付枠４は、立て板部４１とその立て板部４１の下端縁から前向きに突き出た横板部４２とを有していて、立て板部４１の左右２箇所にそれぞれ所要数のねじ孔５３が形成されている。そして、図５〜図７及び図９に示したように、支持部材１５のフランジ部１６，１７が取付枠４の立て板部４１の背面に重ね合わされていて、フランジ部１６，１７のねじ挿通孔５１に挿通させた取付けボルト６１が取付枠４の立て板部４１のねじ孔５３にねじ込まれている。取付枠４と支持部材１５とは以上の構造で結合されている。
【００２７】
また、取付枠４は、立て板部４１の左右２箇所に設けられた係合孔部７１と、横板部４２の左右２箇所に設けられて上記係合孔部７１に連続する嵌合孔部７２とを備えている。係合孔部７１は、立て板部４１の下端縁から上方に向かって凹入状に窪んだ矩形に形成されている。嵌合孔部７２は係合孔部７１と同一幅になっている（図４又は図５参照）。
【００２８】
これに対し、スタンド本体１２の横長板状の基体１３の左右両側には、図４や図５などに示したように、上記したフランジ部１６のねじ孔５２に対応する所要数のねじ挿通孔５４が形成されている。これらのねじ挿通孔５４の形成箇所は、後述する仮結合時に、上記したフランジ部１６と重なり合ってそのフランジ部１６とのボルト結合を可能にする結合片部ａを形成している（図６参照）。
【００２９】
また、基体１３の上端縁の左右２箇所に、根元部分が前向きの突出部７３として形成されている係合片部７４が上向きに折曲形成されている。したがって、係合片部７４は、基体１３からの突出部７３の出幅分だけ基体１３の前側にオフセットされた位置で上向きに突出している。そして、この実施形態では、係合片部７４の基体１３に対するオフセット間隔を、取付枠４の立て板部４１と支持部材１５のフランジ部１６との重なり箇所の厚さ分に見合う寸法に定めてある（図８参照）。
【００３０】
さらに、図２〜図６などに示したように、横長板状の基体１３には、左右２箇所の上記突出部７３の相互間に位置する凹所１８が形成されている。この凹所１８の横幅は、上記した左右２本の支持部材１５を左右方向のがたつきなく嵌合することのできる寸法に定められている。しかも、その凹所１８の左右両側の立上り端面が垂直に形成されていて、それらの立上り端面が、支持部材１５を摺動させて上記した嵌合孔部７２，７２を係合片部７４，７４に導くガイド面１９，１９として形成されている。
【００３１】
スタンド付きテレビジョン受像機において、スタンド１のスタンド本体１２や液晶モジュール２に装備されている下側の取付枠４に上記した構成を付与しておくと、スタンド１を起立させたまま、起立姿勢の基体１３に液晶モジュール２側の取付枠４を取付ねじを用いずに仮結合することができ、その仮結合を行った後に、液晶モジュール２にあらかじめ装着されているフロントキャビネット（後述する）に対して、リアキャビネット（後述する）をスタンド本体１２の背部からの作業で装着することが可能になる。この点を以下に説明する。
【００３２】
図３又は図５のように、台座１１を作業面の上に置いてスタンド本体１２の基体１３を起立姿勢にしたまま、その上方に、液晶モジュール２に装着されている取付枠３，４が結合されている左右２本の支持部材１５，１５をもたらす。その状態から、液晶モジュール２と共に取付枠３，４を図５矢印Ｄのように下方に降ろすことにより、図４のように左右の支持部材１５の片側のフランジ部１６を基体１３の前側に嵌め込んでいって、下側の取付枠４の左右の嵌合孔部７２を基体１３の左右の係合片部７４に嵌め込む。このようにすると、取付枠４の左右の係合孔部７１が基体１３の左右の突出部７３に嵌まり込み、それらの係合孔部７１の孔縁７１ａが図６及び図８のように突出部７３に乗り掛かる。併せて、図６又は図９のように、フランジ部１６のねじ孔５２が、基体１３のねじ挿通孔５４に位置合わせされる。以上の作業を行うことによって、起立姿勢のスタンド本体１２に液晶モジュール２側の下側の取付枠４が仮結合される。この仮結合のための作業を行うときには、基体１３の左右のガイド面１９が、２本の支持部材１５の横ずれを防ぐために、嵌合孔部７２が係合片部７４に容易に導かれる。
【００３３】
仮結合の後の工程では、基体１３のねじ挿通孔５４に挿通させた取付けボルト（不図示）をフランジ部１６のねじ孔５２にねじ込んで締め付けることにより、基体１３と支持部材１５とをボルト結合してスタンド本体１２を形作ることが可能である（図６又は図９参照）。
【００３４】
この実施形態では、起立姿勢の基体１３に沿う上下方向で互いに係脱可能な係合片部７４と係合孔部７１とによって係合機構Ｍ１が形成されている（図４参照）。また、仮結合時に液晶モジュール２を正立姿勢に保持するための倒れ防止機構Ｍ２が、基体１３に連設されて係合片部７４の根元部分を形成している突出部７３と、取付枠４の立て板部４１にその前側で重なりあった係合片部７４と、立て板部４１とフランジ部１６部との重なり箇所の下方へ延び出た当該フランジ部１６にその後側で重なりあった基体１３とによって形成されている（図８参照）。そして、この倒れ防止機構Ｍ２によると、仮結合を行って係合機構Ｍ１の係合片部７４と係合孔部７１とを係合させたときに、取付枠４の立て板部４１とフランジ部１６とが係合片部７４と基体１３とにより前後方向で挟まれるために、液晶モジュール２の正立姿勢が保持されて、突出部７３に乗せ掛けられている係合孔部７１の孔縁７１ａを支点とする液晶モジュール２の前倒れが防止される。
【００３５】
次に図１を参照することにより、スタンド付きテレビジョン受像機の組立工程で行われるリアキャビネット８５をフロントキャビネット８１に着脱する手順の一例を説明する。
【００３６】
台座１１を作業面Ｆの上に置いたまま、起立姿勢の基体１３に液晶モジュール２に装着されている下側の取付枠４を、基体１３に既述した手順で仮結合した状態では、図１（Ａ）のように、基体１３と支持部材１５とでなるスタンド本体１２が起立姿勢になっていて、液晶モジュール２も正立姿勢になっている。
【００３７】
リアキャビネット８５をフロントキャビネット８１に装着するときには、同図（Ｂ）のように、リアキャビネット８５をスタンド本体１２の背部から行う矢印Ｗ方向の作業を通じて液晶モジュール２に装着されているフロントキャビネット８１に合わせ、その状態でリアキャビネット８５をフロントキャビネット８１に適宜手段（たとえばビス止め）で固定する。
【００３８】
フロントキャビネット８１に装着されているリアキャビネット８５を取り外すときには、スタンド本体１２を起立姿勢にしたまま、スタンド本体１２の背部にリアキャビネット３５を引き出す。
【００３９】
以上のように、この実施形態によれば、上記した仮結合を行う組立工程やリアキャビネットを取り付ける組立工程では、液晶モジュール２やスタンド本体１２などを横倒し状態にする必要がないので、それらの組立工程を容易にかつ時間をかけずに行うことができるようになるほか、危険性も少なくなる。したがって、このような組立工程は、大形の液晶モジュール２を備えるスタンド付きテレビジョン受像機のように、液晶モジュール２やスタンド１が重い場合に特に有益であるということが云える。
【００４０】
図１０は変形例による下側の取付枠４の概略斜視図、図１１は基体１３と図１０の取付枠４とを示した分解斜視図、図１２は変形例による取付枠４を採用した場合の仮結合のための作業を示した説明図である。
【００４１】
図１０の取付枠４では、取付枠４の横板部４２に形成されている嵌合孔部７２の奥行幅を長くしてある。すなわち、図１１によって判るように、嵌合孔部７２の奥行幅を、係合片部７４の基体１３に対するオフセット間隔よりも長くしてある。このため、図１２（Ａ）によって判るように、仮結合のための作業を行う際に、係合片部７４が取付枠４の立て板部４１からその前方に向けて離れていても、嵌合孔部７２を係合片部７４に楽に嵌め込むことが可能になる。したがって、嵌合孔部７２の奥行幅を長くしておくことによって、仮結合のための作業を行うに際して、前後方向（Ｘ方向）での嵌合孔部７２と係合片部７４との位置合わせが容易になるという利点がある。また、図例のように、取付枠４の横板部４２の一部を切り起こして嵌合孔部７２を形成しておくことにより、その嵌合孔部７２に切起しによって形成された傾斜片７５を付設しておくと、仮結合したときには、図１２（Ｂ）のように、傾斜片７５と立て板部４１との間に係合片部７４が挟まれるようになるために、仮結合状態で取付枠４がぐらつきにくくなるという利点がある。
【００４２】
図１０〜図１２の取付枠４や基体１３に備わっている構成は、取付枠４の嵌合孔部７２を除いて図２〜図９で説明したところと同様である。したがって、図１０〜図１２については、説明の便宜上、図２〜図９に示した要素と同一又は相当する要素に同一符号を付してある。
【００４３】
なお、実施形態のスタンド付きテレビジョン受像機は、上記したようにその組立工程を容易にかつ時間をかけずに行うことができるようになり、危険性も少なくなるという利点を発揮するほか、組立後にリアキャビネット３５を取り外してメンテナンスを実施したり内部構造を検討する場合にも有益である。
【図面の簡単な説明】
【００４４】
【図１】本発明に係るスタンド付きテレビジョン受像機の組立手順を例示した説明図である。
【図２】支持部材と取付枠とを示した分解斜視図である。
【図３】同スタンド付きテレビジョン受像機を概略で示した斜視説明図である。
【図４】同スタンド付きテレビジョン受像機の組立工程の途中段階を概略で示した分解斜視図である。
【図５】同途中段階を概略で示した背面説明図である。
【図６】組立後のスタンド付きテレビジョン受像機の要部の概略部分背面図である。
【図７】図６のスタンド付きテレビジョン受像機の要部についての概略平面図である。
【図８】図６のＶＩＩＩ−ＶＩＩＩ線に沿う部分の拡大断面図である。
【図９】図６のＩＸ−ＩＸ線に沿う部分の拡大断面図である。
【図１０】変形例による取付枠の概略斜視図である。
【図１１】基体と図１０の取付枠とを示した分解斜視図である。
【図１２】変形例による取付枠を採用した場合の仮結合のための作業を示した説明図である。
【図１３】スタンド付きテレビジョン受像機について行われている組立手順を例示した説明図である。
【符号の説明】
【００４５】
１  スタンド
２  液晶モジュール
４  取付枠
１１  台座
１２  スタンド本体
１３  基体
１５  支持部材
１６  フランジ部（支持部材側の結合片部）
１８  凹所
１９  ガイド面
４１  立て板部
４２  横板部
７１  係合孔部
７２  嵌合孔部
７３  突出部
７４  係合片部
８１  フロントキャビネット
８５  リアキャビネット
Ｍ１  係合機構
Ｍ２  倒れ防止機構
ａ  基体側の結合片部
【図１】
2009038540.tif 000003
【図２】
2009038540.tif 000004
【図３】
2009038540.tif 000005
【図４】
2009038540.tif 000006
【図５】
2009038540.tif 000007
【図６】
2009038540.tif 000008
【図７】
2009038540.tif 000009
【図８】
2009038540.tif 000010
【図９】
2009038540.tif 000011
【図１０】
2009038540.tif 000012
【図１１】
2009038540.tif 000013
【図１２】
2009038540.tif 000014
【図１３】
2009038540.tif 000015